(57)【特許請求の範囲】
【請求項１】
背面からの光を透過する商品見本を保持して陳列する自動販売機の商品見本保持装置であって、
導光部材で形成され、外部からの光を内部へ導入する入光面と該入光面から導入された光を面発光する発光面を有し、該発光面の少なくとも一つが前記商品見本の背面に面するように商品見本の背面に近接して設けられた背面発光手段と、
前記背面発光手段の入光面へ光を照射する第１光源と、
導光部材で形成され、前記商品見本と前記背面発光手段とを重ねた状態で保持する保持部を有するとともに、外部からの光を内部へ導入する入光面と該入光面から導入された光を少なくとも自動販売機前方側に向けて発光する発光面を有する保持装置本体と、
前記保持装置本体の入光面へ光を照射する第２光源を備えることを特徴とする自動販売機の商品見本保持装置。
【請求項２】
前記背面発光手段の入光面および発光面以外の面を覆い、入光面および発光面以外の面から光が放出されないように光を反射して背面発光手段内に留める反射部材を備え、前記保持部が、前記商品見本と前記背面発光手段と前記反射部材とを重ねた状態で保持することを特徴とする請求項１記載の自動販売機の商品見本保持装置。
【請求項３】
前記背面発光手段が平板状であることを特徴とする請求項１または２記載の自動販売機の商品見本保持装置。
【請求項４】
前記保持部が、商品見本の前面を保持する前面保持部を有し、前記入光面から導入された光を前記前面保持部の自動販売機前方側の面から面発光することを特徴とする請求項１〜３のいずれか１項記載の自動販売機の商品見本保持装置。
【請求項５】
背面からの光を透過する商品見本を保持して陳列する自動販売機の商品見本保持装置であって、
導光部材で形成され、商品見本を保持する保持部を有するとともに、外部からの光を内部へ導入する第１入光面及び第２入光面を有する保持装置本体と、前記第１入光面へ光を照射する第１光源と、前記第２入光面へ光を照射する第２光源を備え、
前記保持装置本体が、商品見本の背面に当接して商品見本の背面を保持するとともに、前記第１入光面から導入された光を商品見本の背面に当接する第１発光面から面発光する第１保持・発光部と、商品見本の背面以外の面に当接して商品見本の背面以外の面を保持するとともに、前記第２入光面から導入された光を少なくとも自動販売機の前方側に向けて面発光する第２保持・発光部とを有することを特徴とする自動販売機の商品見本保持装置。
【請求項６】
前記第２保持・発光部が、商品見本の前面を保持する前面保持部を有し、前記第２入光面から導入された光を前記前面保持部の自動販売機前方側の面から面発光することを特徴とする請求項５記載の自動販売機の商品見本保持装置。
【請求項７】
前記第１保持・発光部と前記第２保持・発光部とが区分けされ、且つ、前記第１入光面と前記第２入光面とが区分けされ、それら前記第１保持・発光部と前記第２保持・発光部との区分けの境界および前記第１入光面と前記第２入光面との区分けの境界に、それぞれ光の入出を規制する遮光手段が設けられていることを特徴とする請求項５または６記載の自動販売機の商品見本保持装置。
【請求項８】
保持される商品見本が平板状であることを特徴とする請求項１〜７のいずれか１項記載の自動販売機の商品見本保持装置。
【請求項９】
前記第２光源が多色発光可能であることを特徴とする請求項１〜８のいずれか１項記載の自動販売機の商品見本保持装置。
【発明の詳細な説明】
【技術分野】
【０００１】
本発明は、背面からの光を透過する商品見本を保持して陳列する自動販売機の商品見本保持装置に関する。
【背景技術】
【０００２】
自動販売機では、商品見本を陳列した陳列室内を蛍光灯等で照明するのが一般的であるが、そのほかに、透光性を有する商品見本を使用する場合に、商品見本保持装置によって陳列位置に保持する商品見本の背後に面状発光体を配置し、面状発光体からの光により、透光性を有する商品見本を背面側から照明することが提案されている（例えば、特許文献１参照。）。
【特許文献１】特開２００５−２８５０２９号公報
【発明の開示】
【発明が解決しようとする課題】
【０００３】
上記のように透光性を有する商品見本を面状発光体からの光で背面側から照明するようにすることで、商品見本をはっきりと目立つよう照明することができるが、それだけでは、特に強調したい商品に対して十分な広告効果が得られるようにすることは難しい。そのため、顧客の目を引くためには別体の広告媒体を併用する必要がある。しかしながら、そうするには、別体の広告媒体を新たに取けるスペースが必要となる。また、そのように別体の広告媒体を使用しても、商品見本が透光性を有して背面側からの照明ではっきりと目立つように照明されているために、その別体の広告媒体が目立たず、期待通りの広告効果が得られない恐れがある。また、これを防ぐために、別体の広告媒体自体を発光させることも考えられるが、そうするには、別途電源も必要となり、構成が複雑になってしまう。
【０００４】
本発明は、簡単な構成により、別体の広告媒体等を使用しなくても、多彩な照明で商品見本を目立たせて商品の購入を顧客に促すことができる自動販売機の商品見本保持装置を提供することを目的とする。
【課題を解決するための手段】
【０００５】
本発明の自動販売機の商品見本保持装置は、一例として、背面からの光を透過する商品見本を保持して陳列する自動販売機の商品見本保持装置であって、導光部材で形成され、外部からの光を内部へ導入する入光面と該入光面から導入された光を面発光する発光面を有し、該発光面の少なくとも一つが商品見本の背面に面するように商品見本の背面に近接して設けられた背面発光手段と、背面発光手段の入光面へ光を照射する第１光源と、導光部材で形成され、商品見本と背面発光手段とを重ねた状態で保持する保持部を有するとともに、外部からの光を内部へ導入する入光面と該入光面から導入された光を少なくとも自動販売機前方側に向けて発光する発光面を有する保持装置本体と、保持装置本体の入光面へ光を照射する第２光源を備えることを特徴とする。
【０００６】
この自動販売機の商品見本保持装置は、商品見本と商品見本保持装置（保持装置本体）とを個々に照明発光させるので、簡単な構成により、別体の広告媒体等を使用しなくても、多彩な照明で商品見本を目立たせて商品の購入を顧客に促すことができる。
【０００７】
そして、この自動販売機の商品見本保持装置は、背面発光手段の入光面および発光面以外の面を覆い、入光面および発光面以外の面から光が放出されないように光を反射して背面発光手段内に留める反射部材を備え、保持部が、商品見本と背面発光手段と反射部材とを重ねた状態で保持するようにするのがよい。
【０００８】
こうすることで、反射部材で背面発光体の光漏れおよび外部からの光導入を防いで、商品見本と商品見本保持装置の照明が混ざってしまうのを防ぐことができ、よりくっきりと商品見本を目立たせて、顧客に商品の購入を促すことができる。
【０００９】
また、この自動販売機の商品見本保持装置は、背面発光手段が平板状であるのがよい。
【００１０】
背面発光手段が平板状であることで、設置スペースを小さくすることができ、且つ、商品見本をはっきりと照明することができる。
【００１１】
また、この自動販売機の商品見本保持装置は、保持部が、商品見本の前面を保持する前面保持部を有し、入光面から導入された光を前面保持部の自動販売機前方側の面から面発光するようにするのがよい。
【００１２】
このように前面保持部が発光するようにすることで、商品見本とともに商品見本保持装置の発光も目立ち、多彩な発光パターンで商品見本を目立たせて、顧客に商品の購入を促すことができる。
【００１３】
本発明の自動販売機の商品見本保持装置は、他の例として、背面からの光を透過する商品見本を保持して陳列する自動販売機の商品見本保持装置であって、導光部材で形成され、商品見本を保持する保持部を有するとともに、外部からの光を内部へ導入する第１入光面及び第２入光面を有する保持装置本体と、第１入光面へ光を照射する第１光源と、第２入光面へ光を照射する第２光源を備え、保持装置本体が、商品見本の背面に当接して商品見本の背面を保持するとともに、第１入光面から導入された光を商品見本の背面に当接する第１発光面から面発光する第１保持・発光部と、商品見本の背面以外の面に当接して商品見本の背面以外の面を保持するとともに、第２入光面から導入された光を少なくとも自動販売機の前方側に向けて面発光する第２保持・発光部とを有することを特徴とする。第２保持・発光部は、商品見本の前面を保持する前面保持部を有し、第２入光面から導入された光を前面保持部の自動販売機前方側の面から面発光するものであってよい。
【００１４】
この自動販売機の商品見本保持装置は、商品見本と商品見本保持装置（保持装置本体）とを個々に照明発光させるので、簡単な構成により、別体の広告媒体等を使用しなくても、多彩な照明で商品見本を目立たせて商品の購入を顧客に促すことができる。
【００１５】
そして、この自動販売機の商品見本保持装置は、第１保持・発光部と第２保持・発光部とが区分けされ、且つ、第１入光面と第２入光面とが区分けされ、それら第１保持・発光部と第２保持・発光部との区分けの境界および第１入光面と第２入光面との区分けの境界に、それぞれ光の入出を規制する遮光手段が設けられているようにするのがよい。
【００１６】
こうすることで、商品見本の照明と商品見本保持装置の照明が混ざってしまうことを防ぐことができ、よりくっきりと商品見本を目立たせて、顧客に商品の購入を促すことができる。
【００１７】
そして、これら本発明の自動販売機の商品見本保持装置は、保持される商品見本が平板状であるのがよい。
【００１８】
平板状の商品見本を使用することで、設置スペースを低減することができる。
【００１９】
また、これら本発明の自動販売機の商品見本保持装置は、第２光源が多色発光可能であるのがよい。
【００２０】
保持光源が多色発光可能であることで、商品見本の照明とは別に商品見本保持装置の照明をグラデーション発光などで多彩な発光パターンで行うことができ、商品見本を目立たせて、顧客に商品の購入を促すことができる。
【発明の効果】
【００２１】
このように、本発明によれば、自動販売機の商品見本保持装置を、簡単な構成により、別体の広告媒体等を使用しなくても、多彩な照明で商品見本を目立たせて商品の購入を顧客に促すことができるものとすることができる。
【発明を実施するための最良の形態】
【００２２】
以下、本発明の実施形態を図面に基づいて説明する。
図１〜図５は、本発明の実施形態の第１例を示している、図１は見本ホルダの構成を示す斜視図、図２は見本ホルダの正面図、図３は見本ホルダの側面図、図４は見本ホルダの商品見本取付状態の正面図（ａ）および側面図（ｂ）、図５は見本ホルダの商品見本取付手順の説明図である。
【００２３】
図１に示す見本ホルダ１は、自動販売機の前面に設けられる商品見本２を陳列する商品見本陳列部に取付固定され、光を透過可能な樹脂で形成された薄い矩形平板状のフィルム型商品見本２と、商品見本２を背面側から照明するための背面発光手段である平板状の導光板３と、導光板３の背面側に配置されて、導光板３から漏れる光を反射して導光板３の内部へ戻すためのシート状の反射部材４の３つを重ねた状態で保持する商品見本保持部材であって、この見本ホルダ１に保持される商品見本２を、背面側から照射された光を前面側へと透過することで照明し、商品見本２の前面側から見て、商品見本２が発光しているように見せるようになっている。
【００２４】
背面発光手段である導光板３は、アクリル樹脂等の導光性材料からなる導光部材で商品見本２とほぼ同じ横幅の矩形平板状に形成され、取付時の垂直に立てた状態の下面の、両端部を除く部分に、外部からの光を内部へ導入（入光）する入光面となる導光板入光部５が設けられ、背面に、入光した光を導光板３内で乱反射させるため複数の凹凸部（ドット）が設けられ、前面に、入光して導光板３内で乱反射・拡散した光を面発光する発光面となる導光板出光部６が設けられている。
【００２５】
導光板出光部６は、商品見本２を背面から照明するように陳列時の商品見本２の背面が接する位置の略全域が面発光する見本出光部７と、商品価格を表示するための価格シート９を背面から照明するよう陳列時の価格シート９の背面が接する位置の略全域が面発光する価格出光部８からなっている。
【００２６】
価格シート９もまた、商品見本２と同様に、光を透過可能な樹脂で薄板形状のフィルム型に形成されている。
【００２７】
導光板３は、下面の導光板入光部５から光を導入して、その導入した光を背面の凹凸部により導光板３内部で反射拡散し、拡散した光を商品見本２に面する前面の導光板出光部６から出光する。
【００２８】
また、導光板３の前面下方部には、価格シート９の下方を保持するよう前方側へ突出した凸部形状の価格下方保持部１０が設けられ、また、その価格下方保持部１０のやや上に、導光板３の左右端付近で商品見本２の横幅より狭い間隔で前方側へ直方体形状で突出する２つの保持突起部１１が設けられている。この保持突起部１１は、保持突起部１１の側部が価格シート９の両左右側面を保持するとともに、保持突起部１１の上部が商品見本２の下面部の左右両端近傍を保持するもので、保持突起部１１の導光板３本体からの突出幅は、商品見本２の厚さとほぼ同じ大きさとなっている。また、導光板３の側面下部には、見本ホルダ１に係合して導光板３自体を見本ホルダ１に保持する導光板係合部１２が設けられている。
【００２９】
反射部材４は、光を透過せずに反射する白色系の素材により形成され、上方側部と、左右側方部と、導光板入光部５を除く下方両側縁部が折り曲げられ、導光板３をすっぽりと収めて、導光板３の入光面および発光面以外の面、すなわち導光板出光部６と導光板入光部５を除く面を覆い、入光面および発光面以外の面から光が放出されないように光を反射して背面発光手段内に留めるととともに、入光面および発光面以外の面から外部の光が導入されるのを防ぐ箱形状となっている。
【００３０】
見本ホルダ１は、アクリル樹脂のような透明な導光性材料からなる導光部材で一体成形され、基台となるホルダ本体１３と、ホルダ本体１３上部に形成され、導光板３の上面を保持するための上面保持部１４と、ホルダ本体１３に設けられ、商品見本２と導光板３と反射シート４を重ねた状態で商品見本２と導光板３の背面を保持する背面保持部１５と、ホルダ本体１３の両側方から前方側にＬ字形状に延びるように形成され、商品見本２の前縁左右両側部を保持する前面保持部１６と、商品見本２と導光板３の両側面を保持する側面保持部１７が形成されている。そして、その前面保持部１６と側面保持部１７と背面保持部１５とが断面コの字状をなして、その内側にスリットが形成され、このスリットの内部の前後間隔が、商品見本２と導光板３と反射部材４を重ねた厚さより僅かに幅の広い保持間隔となっている。
【００３１】
見本ホルダ１の上面保持部１４の前方側先端から背面保持部１５の前面位置までの寸法は、導光板３と反射部材４が重なった状態での厚さとほぼ同等かそれ以下で、前面保持部１６の後面から上面保持部１４の前方側先端までの幅で見本挿入部１９が形成されている。そして、前面保持部１６の後面から背面保持部１５の前面までの寸法は、商品見本２と導光板３と反射部材４とが重なった状態での厚さより僅かに大きい。そのため、商品見本２は、側面保持部１７と前面保持部１６と導光板３の前面と保持突起部１１とで保持されているが、商品見本２の上側は上面保持部１４に当接しないため保持されず、上方向にスライド移動可能であり、見本挿入部１９から商品見本２の出し入れが可能である。
【００３２】
また、見本ホルダ１には、前面保持部１６の下方に、価格シート９の前面左右両側縁部を保持するように価格保持部２０が設けられている。価格シート９は、見本ホルダ１の価格保持部２０と導光板３の前面と価格下方支持部１０とによって保持され、価格シート９の上側のみは当接する保持部がないため保持されず、上方向にスライド移動可能で、価格シート９の出し入れが可能である。
【００３３】
また、導光板３は、側面保持部１７と背面保持部１５と前面保持部１６と導光板保持部２３と上面保持部１４とによって６面が保持され、見本ホルダ１に完全に固定されている。
【００３４】
また、見本ホルダ１は、下方左右両端部に、ホルダ本体１３から下方へ伸びた撓み部２１が形成され、背面保持部１５の最下部が撓み部２１の上方位置までとなっていて、撓み部２１が左右方向に撓むことが可能となっている。
【００３５】
そして、左右両側の撓み部２１には、同じ高さ位置に、先端部同士が導光板３の幅より僅かに狭い間隔で向き合うように見本ホルダ１の中央方向へ向かって突出した係合突起部２２が設けられ、これら係合突起部２２には、上面側には、導光板３の下方側縁部を支持する導光板保持部２３が形成され、下面側に、下方外側に向かって傾斜した、光を入光させるためのホルダ入光部２４（第２が形成されている。
【００３６】
また、左右両側の撓み部２１の最下部には、先端部同士が導光板３の幅とほぼ同等か僅かに広い間隔で向き合うように見本ホルダ１の中央方向へ向かって突出した、光源基板２５を保持固定するための基板保持部２６が設けられている。
【００３７】
また、見本ホルダ１の前面保持部１６の前面部、上面保持部１４の前面部、価格保持部２０の前面部その他の、前方に向いた見本ホルダ１の面には、ホルダ入光部２４から入光した光がホルダ本体１３内で拡散して面発光するホルダ出光部２７が形成されている。
【００３８】
ホルダ出光部２７の、発光面に対向する後方側の面には、入光された光を導光板３内で乱反射させるための複数の凹凸部（ドット）が形成されている。
【００３９】
また、ホルダ本体１３のホルダ入光部２４及びホルダ出光部２７以外の面には、見本ホルダ１内から発する光を反射して見本ホルダ１内へ戻すよう反射材が塗布されている。
【００４０】
なお、図示の例では、見本ホルダ１及び導光板３に内部の光を反射拡散する凹凸部（ドット）が、ホルダ出光部２７と導光板３の見本出光部７および価格出光部８の発光面に対向する背面側の面に設けられているが、各出光部の発光面に発光用の白色パターンを印刷して出光部を面発光させる方法を採用してもよい。
【００４１】
光源基板２５は、平板状の基板本体２８の上面部中央付近に、導光板３の導光板入光部５へ光を照射するための導光板光源（第１光源）としての導光板用ＬＥＤ２９が複数個並べて設けられ、基板本体２８の上面の両側端付近には、見本ホルダ１のホルダ入光部２４へ光を照射するためのホルダ光源（第２光源）としてのホルダ用ＬＥＤ３０がそれぞれ設けられ、それら光源は、光源基板２５を見本ホルダ１に取り付けた時に、導光板３の導光板入光部５および見本ホルダ１のホルダ入光部２４へそれぞれ光を照射するように、各入光部５，２４に各ＬＥＤ２９，３０の発光部が向けられている。また、導光板光源（導光板用ＬＥＤ２９）とホルダ光源（ホルダ用ＬＥＤ３０）の間には、各光源の光が混ざるのを防ぐため、光を遮断する光源遮光部３１が取り付けられている。なお、各光源のＬＥＤは、多色発光のマルチカラーＬＥＤを使用している。
【００４２】
この実施形態では、見本ホルダ１下部に設けられる導光板光源（導光板用ＬＥＤ２９）を発光させると、導光板光源（導光板用ＬＥＤ２９）からの光が、導光板３の下部に設けられる導光板入光部５から入光し、導光板３の内部で拡散反射して、導光板３の後面の凹凸部で前方側へ拡散反射し、導光板３の前面側に設けられる見本出光部７と価格出光部８から面発光して、導光板３前方に位置する商品見本２及び価格シート９を背面から照明する。
【００４３】
また、見本ホルダ１の下部に設けられるホルダ光源（ホルダ用ＬＥＤ３０）を発光させると、ホルダ光源（ホルダ用ＬＥＤ３０）からの光が、係合突起部２２に設けられるホルダ入光部２４から入光し、見本ホルダ１内部で拡散反射して、ホルダ出光部２７の後方側に位置する凹凸部で前方側へ拡散反射し、見本ホルダ１前面側に設けられるホルダ出光部２７から面発光して、見本ホルダ１の前方縁部分が発光する。
【００４４】
そして、各光源の発光色を変化させたり、点滅させる等のイルミネーションを行うことで、商品見本２、価格シート９、見本ホルダ１は、それぞれの光源が発した色にイルミネーション発光する。この場合、イルミネーションパターンについては、適宜設定してもよいし、予めメモリに記憶しておき、それを呼び出すようにしてもよい。
【００４５】
見本ホルダ１には、後面に、商品見本陳列部に取付固定するための固定部３２が設けられている。見本ホルダ１は、この固定部３２を商品見本陳列部に設けられる被固定部に係合固定させることで取り付ける。
【００４６】
この実施形態における見本ホルダへの商品見本の取付手順は、図５に示すとおりで、まず、見本ホルダ１の下方から、反射部材４によって導光板出光部６と導光板入光部５以外の周囲が覆われた導光板３を挿入する。すると、導光板３の横幅よりもやや狭い間隔の係合突起部２２の下方の傾斜面に導光板３の上面が当接して、係合突起部２２が側方外方向に押しやられて、撓み部２１が外方向へ撓み、それにより、左右の係合突起部２２の間隔が開いて導光板３が通過可能となり、導光板３が見本ホルダ１内の前面保持部１６と背面保持部１５との間に挿入される。
【００４７】
そして、導光板３の下方に位置する導光板係合部１２が係合突起部２２を通過して、導光板３の上面が上面保持部１４に当接して保持されるとともに、導光板３によって外側に撓んでいた撓み部２１の撓みが解消され、係合突起部２２の先端の間隔が導光板３の横幅より狭くなって、導光板保持部２３が導光板３の下面に当接して導光板３を保持する。このとき、導光板３の導光板係合部１２が見本ホルダ１の側面保持部１７の内側の面を外側に押すように当接してズレを防止し、導光板３と反射シート４が見本ホルダ１に保持固定される。
【００４８】
その後、光源基板２５を見本ホルダ１の下方の基板保持部２３に挿入し、ホルダ光源（ホルダ用ＬＥＤ３０）をホルダ入光部２４に臨む位置になるように、また、導光板光源（導光板用ＬＥＤ２９）を導光板入光部５に臨む位置になるようにそれぞれ固定する。
【００４９】
そして、価格シート９を価格下方保持部１０と導光板３の間に挿入し、商品見本２を見本挿入部１９から前面保持部１６と導光板３の間に挿入することで商品見本２及び価格シート９を陳列保持する。
【００５０】
図６〜図８は、本発明の実施形態の第２例を示している。図６は見本ホルダの構成を示す斜視図、図７は見本ホルダの商品見本取付状態の正面図、図８は見本ホルダの商品見本取付状態の側面図である。
【００５１】
この実施形態は、見本ホルダ１と導光板３を一体としたもので、見本ホルダ１に上面保持部１４を設けず、背面保持部１５を導光板３の代わりに背面発光手段としている。
【００５２】
見本ホルダ１は、アクリル樹脂のような透明な導光性材料からなる導光部材で一体成形され、基台となるホルダ本体１３を有し、ホルダ本体１３に、商品見本２の背面を保持する背面保持部１５（第１保持・発光部）と、ホルダ本体１３の両側方から前方側にＬ字形状に延びて商品見本２の前縁左右両側部及び前縁下方部を保持する前面保持部１６、および商品見本２の両側面を保持する側面保持部１７、商品見本２の下面を保持する下面保持部３８（第２保持・発光部）が形成されている。そして、その前面保持部１６と側面保持部１７と背面保持部１５とが断面コの字状をなして、その内側にスリットが形成され、このスリットの内部の前後間隔が、商品見本２の厚さより僅かに広い保持間隔となっている。
【００５３】
そして、見本ホルダ１は、背面発光手段である背面保持部１５の下面近傍には光が入光するための背面入光部３３（第１入光面）が設けられ、見本ホルダ１の背面（背面保持部１５の後方側の面）には、背面入光部３３から入光された光を内部で乱反射させるため複数の凹凸部（ドット）が設けられ、背面保持部１５の前面には、入光して導光板内で乱反射・拡散した光を面発光する見本出光部３４が設けられ、下面の背面入光部３３から光を受けて、凹凸部により内部で反射拡散し、拡散した光を商品見本２側の見本出光面３４から出光するようになっている。
【００５４】
そして、見本ホルダ１には、下方左右両側部の同じ高さ位置に、係合突起部２２が設けられ、これら係合突起部２２には、下面側に、下方外側に向かって傾斜した、光を入光させるためのホルダ入光部２４（第２入光部）が形成されている。
【００５５】
また、見本ホルダ１の下方左右両側部の最下部には、見本ホルダ１の中央方向へ向かって突出した光源基板２５を保持固定する基板保持部が設けられている。
【００５６】
また、見本ホルダ１の前面保持部１６の前方に向いた面には、ホルダ入光部２４から入光した光がホルダ本体１３内で拡散して面発光するホルダ出光部２７が形成されている。
【００５７】
そして、ホルダ出光部２７には、発光面に対向する後方側の面に、入光された光を内部で乱反射させるため複数の凹凸部（ドット）が形成されている。
【００５８】
また、ホルダ本体１３のホルダ入光部２４、背面入光部３３、ホルダ出光部２７および見本出向部３４以外の面には、見本ホルダ１内から発する光を反射して見本ホルダ１内へ戻すよう反射材が塗布されている。
【００５９】
また、背面保持部１５とその他の保持部との間には、互いの内部の光の行き来を遮断する遮光材質からなる遮光層３７が形成されている。これにより背面保持部１５と前面保持部１６の光が混ざり合うのを防ぐ。
【００６０】
なお、図示の例では、見本ホルダ１に内部の光を反射拡散する凹凸部（ドット）が、ホルダ出光部２７と導光板３の見本出光部７および価格出光部８の発光面に対向する背面側の面に設けられているが、各出光部の発光面に発光用の白色パターンを印刷して、出光部を面発光させる方法を採用してもよい。
【００６１】
光源基板２５は、平板形状の基板本体２８の上面部中央付近に、背面保持部１５の背面入光部３３へ光を照射するための背面光源（第１光源）としての背面用ＬＥＤ３５が複数個並べて設けられ、基板本体２８上面の両側端付近には、見本ホルダ１のホルダ入光部２４へ光を照射するためのホルダ光源（第２光源）としてのホルダ用ＬＥＤ３６がそれぞれ設けられ、それら光源は、光源基板２５の見本ホルダ１に取り付けた時に、各入光部３３，２４へ光を照射するように各入光部３３，２４へと各ＬＥＤ３５，３６の発光部が向けられている。また、背面光源（背面用ＬＥＤ３５）とホルダ光源（ホルダ用ＬＥＤ３６）の間には、各光源の光が混ざるのを防ぐため、光を遮断する光源遮光部３１が取り付けられている。なお、各光源のＬＥＤは、多色発光のマルチカラーＬＥＤを使用している。
【００６２】
この実施形態では、見本ホルダ１下部に設けられる背面光源（背面用ＬＥＤ３５）を発光させると、背面光源（背面用ＬＥＤ３５）からの光が、背面入光部３３から入光し、背面保持部１５の内部で拡散反射して、後面の凹凸部で前方側へ拡散反射し、背面保持部１５の前面側に設けられる見本出光部３４から面発光して、見本ホルダ１３の前方に位置する商品見本２を背面から照明する。
【００６３】
また、見本ホルダ１の下部に設けられるホルダ光源（ホルダ用ＬＥＤ３６）を発光させると、ホルダ光源（ホルダ用ＬＥＤ３６）からの光が、係合突起部２２に設けられるホルダ入光部２４から入光し、見本ホルダ１内部で拡散反射して、ホルダ出光部２７の後方側に位置する凹凸部で前方側へ拡散反射し、見本ホルダ１の前面側に設けられるホルダ出光部２７から面発光して、見本ホルダ１の前方縁部分が発光する。
【００６４】
そして、各光源の発光色を変化させたり、点滅させる等のイルミネーションを行うことで、商品見本２、価格シート９、見本ホルダ１は、それぞれの光源が発した色にイルミネーション発光する。この場合、イルミネーションパターンについては、適宜設定してもよいし、予めメモリに記憶しておき、それを呼び出すようにしてもよい。
【００６５】
見本ホルダ１には、後面に、商品見本陳列部に取付固定するための固定部３２が設けられている。見本ホルダ１は、この固定部３２を商品見本陳列部に設けられる被固定部に係合固定させることで取り付ける。
【図面の簡単な説明】
【００６６】
【図１】本発明の実施形態の第１例の見本ホルダの構成を示す斜視図である。
【図２】図１の例における見本ホルダの正面図である。
【図３】図１の例における見本ホルダの側面図である。
【図４】図１の例における見本ホルダの商品見本取付状態の正面図（ａ）および側面図（ｂ）である。
【図５】図１の例における見本ホルダの商品見本取付手順の説明図である。
【図６】本発明の実施形態の第２例の見本ホルダの構成を示す斜視図である。
【図７】図６の例における見本ホルダの商品見本取付状態の正面図である。
【図８】図６の例における見本ホルダの商品見本取付状態の側面図である。
【符号の説明】
【００６７】
１  見本ホルダ
２  商品見本
３  導光板
４  反射部材
５  導光板入光部
６  導光板出光部
７  見本出光部
８  価格出光部
９  価格シート
１０  価格下方保持部
１１  保持突起部
１２  導光板係合部
１３  ホルダ本体
１４  上面保持部
１５  背面保持部
１６  前面保持部
１７  側面保持部
１８  保持間隔
１９  見本挿入部
２０  価格保持部
２１  撓み部
２２  係合突起部
２３  導光板保持部
２４  ホルダ入光部
２５  光源基板
２６  基板保持部
２７  ホルダ出光部
２８  基板本体
２９  導光板用ＬＥＤ（導光板光源）
３０  ホルダ用ＬＥＤ（ホルダ光源）
３１  光源遮光部
３２  固定部
３３  背面入光部
３４  見本出光部
３５  背面用ＬＥＤ（背面光源）
３６  ホルダ用ＬＥＤ（ホルダ光源）
３７  遮光層
３８  下面保持部
【図１】
0005149672.tif 000002
【図２】
0005149672.tif 000003
【図３】
0005149672.tif 000004
【図４】
0005149672.tif 000005
【図５】
0005149672.tif 000006
【図６】
0005149672.tif 000007
【図７】
0005149672.tif 000008
【図８】
0005149672.tif 000009